(57)【要約】【課題】粘度が高い混合物が冷却面に付着した場合には、吸収剤の作用だけでは除去できない。【解決手段】支持面５ａに対向し、ヒーター７２によりインクが加熱された際に発生する蒸気を冷却して液体とする冷却面８ａを備え、記録ヘッド３１は、支持面５ａに対向してインクを吐出するための複数の孔を有するノズル面３１ａを含み、冷却面８ａの支持面５ａからの距離Ｈ１は、ノズル面３１ａの支持面５ａからの距離Ｈ２よりも小さく設定され、冷却面８ａは、ノズル面３１ａよりも温度が低く設定されて記録ヘッド３１と共に走査経路ＳＰに沿って往復移動し、ワイパー部材９は、走査経路ＳＰにおいて記録が行われない非記録領域ＮＥに設けられ、ワイパー部材９の端部９ａの支持面５ａからの距離Ｈ３は、冷却面８ａの支持面５ａからの距離Ｈ１以上且つノズル面３１ａの支持面５ａからの距離Ｈ２未満である。【選択図】図２
2019171585.tif 000002
【特許請求の範囲】
【請求項１】
メディアの表面に対向して走査経路に沿って往復移動し、前記メディアの前記表面に液滴を吐出して記録する記録ヘッドと、
前記メディアの裏面を支持する支持面を有する支持部と、
前記メディアの表面に付着した前記液滴を加熱する加熱部と、
前記支持面に対向し、前記加熱部により前記液滴が加熱された際に発生する蒸気を冷却して液体とする冷却面と、
前記支持部側に設けられ、前記冷却面に付着した前記液体を拭き取るワイパー部材と、
を備え、
前記記録ヘッドは、
前記支持面に対向して前記液滴を吐出するための複数の孔を有するノズル面を含み、
前記冷却面の前記支持面からの距離は、
前記ノズル面の前記支持面からの距離よりも小さく設定され、
前記冷却面は、前記ノズル面よりも温度が低く設定されて前記記録ヘッドと共に前記走査経路に沿って往復移動し、
前記ワイパー部材は、
前記走査経路において前記記録が行われない非記録領域に設けられ、
前記ワイパー部材の端部の前記支持面からの距離は、前記冷却面の前記支持面からの距離以上且つ前記ノズル面の前記支持面からの距離未満であることを特徴とする記録装置。
【請求項２】
請求項１に記載の記録装置であって、
前記冷却面は、第１の冷却面と、第２の冷却面と、を含み、
前記走査経路に沿った方向を走査方向とする場合、
前記第１の冷却面と前記第２の冷却面とは、前記ノズル面に対して前記走査方向における一方側と他方側とに並んで配置されていることを特徴とする記録装置。
【請求項３】
請求項２に記載の記録装置であって、
前記冷却面は、第３の冷却面を含み、
前記走査方向と交差する方向を交差方向とする場合、
前記第３の冷却面は、前記ノズル面に対して前記交差方向における一方側と他方側とに並んで配置されていることを特徴とする記録装置。
【請求項４】
請求項２または３に記載の記録装置であって、
前記第１の冷却面と前記第２の冷却面とは、前記加熱部による被加熱領域と対向し、
前記第１の冷却面と前記第２の冷却面との少なくとも一方の前記交差方向の長さは、前記ノズル面の前記交差方向の長さ以上であることを特徴とする記録装置。
【請求項５】
請求項２乃至４に記載の記録装置であって、
前記冷却面は、前記走査方向と平行な複数のフィンであり、
前記ワイパー部材には、複数の前記フィンと係合する凹凸が設けられていることを特徴とする記録装置。
【請求項６】
請求項２乃至４に記載の記録装置であって、
前記冷却面は、前記走査方向と平行な複数のフィンであり、
前記ワイパー部材として、ブラシが設けられていることを特徴とする記録装置。
【発明の詳細な説明】
【技術分野】
【０００１】
本発明は、記録装置に関する。
【背景技術】
【０００２】
従来、例えば、特許文献１に記載されているように、種々のメディア（ロール紙、単票紙等）に画像・文字を記録する記録装置が周知である。このような記録装置では、溶媒を含むインクを、インクジェットヘッドを用いてメディア表面に吐出して画像・文字を記録したあと、ヒーターで溶媒を蒸発させてインクをメディアに定着させる。特許文献１に記載の記録装置では、溶媒が蒸発する際に発生する蒸気が記録ヘッドのノズル面で結露することを防止するために、冷却面を有する冷却装置を記録ヘッドの走査方向に並べている。そして、冷却面で結露した液体を吸収剤で吸収している。
【先行技術文献】
【特許文献】
【０００３】
【特許文献１】国際公開第２０１０／１３７４９号
【発明の概要】
【発明が解決しようとする課題】
【０００４】
ところが、特許文献１に記載の記録装置では、使用されるインク種によっては溶媒の粘度が高くなったり、当該溶媒にインクミストが混ざることで更に粘度が高い混合物が生じたりして当該混合物が冷却面に付着した場合には、吸収剤の作用だけでは除去できない。
【課題を解決するための手段】
【０００５】
［適用例１］本適用例に係る記録装置は、メディアの表面に対向して走査経路に沿って往復移動し、前記メディアの前記表面に液滴を吐出して記録する記録ヘッドと、前記メディアの裏面を支持する支持面を有する支持部と、前記メディアの表面に付着した前記液滴を加熱する加熱部と、前記支持面に対向し、前記加熱部により前記液滴が加熱された際に発生する蒸気を冷却して液体とする冷却面と、前記支持部側に設けられ、前記冷却面に付着した前記液体を拭き取るワイパー部材と、を備え、前記記録ヘッドは、前記支持面に対向して前記液滴を吐出するための複数の孔を有するノズル面を含み、前記冷却面の前記支持面からの距離は、前記ノズル面の前記支持面からの距離よりも小さく設定され、前記冷却面は、前記ノズル面よりも温度が低く設定されて前記記録ヘッドと共に前記走査経路に沿って往復移動し、前記ワイパー部材は、前記走査経路において前記記録が行われない非記録領域に設けられ、前記ワイパー部材の端部の前記支持面からの距離は、前記冷却面の前記支持面からの距離以上且つ前記ノズル面の前記支持面からの距離未満であることを特徴とする。
【０００６】
記録ヘッドによりメディアの表面に吐出された液滴が加熱部で加熱される際、当該液滴の溶媒が蒸発することにより蒸気が発生する。本適用例によれば、記録ヘッドのノズル面よりも温度が低く設定された冷却面で結露した液体を、ワイパー部材で拭き取ることができる。冷却面の支持面からの距離は、ノズル面の支持面からの距離よりも小さく設定されている。このとき、ワイパー部材の端部の支持面からの距離は、冷却面の支持面からの距離以上且つノズル面の支持面からの距離未満に設定されている。これにより、メディアを支持する支持部側に設けられたワイパー部材が、冷却面に付着した液体を拭き取る際に、ノズル面にワイパー部材が接触することを抑制できる。したがって、ワイパー部材の接触に起因してノズル面が傷付くことを抑制できる。また、ワイパー部材は、メディアを支持する支持部側、且つ、走査経路において記録が行われない非記録領域に設けられている。これにより、記録ヘッドと冷却面が走査経路に沿いながら非記録領域を通って往復移動する度に、ワイパー部材は冷却面を拭き取ることができる。したがって、液体の粘度が高い場合であっても、記録ヘッドが往復移動する際に、ワイパー部材が冷却面に押し当てられながら摺動するため、冷却面に付着した液体をワイパー部材で拭き取ることができる。これにより、冷却面に液体が蓄積されることを抑制できるため、蓄積した液体がメディアの表面に落下してメディアの表面を汚すことを抑制できる。
【０００７】
［適用例２］上記適用例１に記載の記録装置において、前記冷却面は、第１の冷却面と、第２の冷却面と、を含み、前記走査経路に沿った方向を走査方向とする場合、前記第１の冷却面と前記第２の冷却面とは、前記ノズル面に対して前記走査方向における一方側と他方側とに並んで配置されていることが好ましい。
【０００８】
液滴の溶媒が蒸発して発生した蒸気には溶媒の分子（溶媒分子）が含まれている。蒸気の中を記録ヘッドが走査方向に沿って移動すると、溶媒分子と記録ヘッドとが走査方向で衝突してノズル面で蒸気が結露する場合がある。本適用例によれば、このような場合であっても、第１の冷却面と第２の冷却面とがノズル面に対して走査方向における一方側と他方側に並んで配置されているため、溶媒分子がノズル面に衝突する前に冷却面に衝突する。これにより、ノズル面に衝突する溶媒分子が減少するため、ノズル面で蒸気が結露することを抑制できる。
【０００９】
［適用例３］上記適用例２に記載の記録装置において、前記冷却面は、第３の冷却面を含み、前記走査方向と交差する方向を交差方向とする場合、前記第３の冷却面は、前記ノズル面に対して前記交差方向における一方側と他方側とに並んで配置されていることが好ましい。
【００１０】
記録ヘッドと冷却面が走査経路に沿って移動すると、大気と記録ヘッド或いは大気と冷却面との相対運動等に起因して、気流が発生する場合がある。このとき、当該気流は走査方向だけでなく、交差方向からも回り込む場合がある。本適用例によれば、走査方向に加えて交差方向から回り込んでくる蒸気に含まれる溶媒分子が、ノズル面に衝突する前に第３の冷却面に衝突する。これにより、ノズル面に衝突する溶媒分子が更に減少するため、ノズル面で蒸気が結露することを更に抑制できる。
【００１１】
［適用例４］上記適用例２または３に記載の記録装置において、前記第１の冷却面と前記第２の冷却面とは、前記加熱部による被加熱領域と対向し、前記第１の冷却面と前記第２の冷却面との少なくとも一方の前記交差方向の長さは、前記ノズル面の交差方向の長さ以上であることが好ましい。
【００１２】
液滴の溶媒が蒸発して発生した蒸気は、加熱部による被加熱領域で多く発生する。本適用例によれば、冷却面と被加熱領域とが対向する範囲で蒸気を結露させることができる。更に、第１の冷却面と第２の冷却面との少なくとも一方の交差方向の長さは、ノズル面の交差方向の長さ以上である。言い換えれば、走査方向から見て、冷却面が設けられている長さは、ノズル面の交差方向の長さ以上である。これにより、走査方向から飛来する溶媒分子がノズル面に衝突する領域を減らすことができる。したがって、ノズル面で蒸気が結露することを抑制できる。
【００１３】
［適用例５］上記適用例２乃至４に記載の記録装置において、前記冷却面は、前記走査方向と平行な複数のフィンであり、前記ワイパー部材には、複数の前記フィンと係合する凹凸が設けられていることが好ましい。
【００１４】
本適用例によれば、冷却面は、走査方向と平行な複数のフィンであり、ワイパー部材には、複数のフィンと係合する凹凸が設けられる。これにより、冷却面が複数のフィンではない場合と比べて、冷却面の表面積を大きくすることができる。これにより、冷却面に付着する液体の量を多くすることができる。このため、ノズル面で結露することを一層抑制できる。さらに、ワイパー部材の表面に複数のフィンと係合する凹凸が設けられているので、複数のフィンのうち、凹部に付着した液体が拭き取られずに当該凹部に液体が残ってしまうことを抑制できる。
【００１５】
［適用例６］上記適用例２乃至４に記載の記録装置において、前記冷却面は、前記走査方向と平行な複数のフィンであり、前記ワイパー部材として、ブラシが設けられていることが好ましい。
【００１６】
本適用例によれば、冷却面は、走査方向と平行な複数のフィンであり、ワイパー部材として、ブラシが設けられる。これにより、冷却面が複数のフィンではない場合と比べて、冷却面の表面積を大きくすることができる。これにより、冷却面に付着する液体の量を多くすることができる。また、ワイパー部材がブラシであることにより、フィンの凹凸に合わせてブラシが接触可能となる。これにより、複数のフィンのうち、凹部に付着した液体が拭き取られずに当該凹部に液体が残ってしまうことを抑制できる。
【図面の簡単な説明】
【００１７】
【図１】実施形態１に係る記録装置の全体図。
【図２】実施形態１に係る液体拭き取り機構の構成を＋Ｙ軸方向から見た図。
【図３】実施形態１に係る記録装置の制御部の構成を示す図。
【図４】実施形態１に係る液体拭き取り機構の構成を＋Ｚ軸方向から見た図。
【図５】記録装置１の動作を示す模式図。
【図６】記録装置１の動作を示す模式図。
【図７】実施形態２に係る液体拭き取り機構の構成を＋Ｙ軸方向から見た図。
【図８】実施形態２に係る液体拭き取り機構の構成を＋Ｙ軸方向から見た図。
【図９】実施形態２に係る液体拭き取り機構の構成を＋Ｙ軸方向から見た図。
【図１０】実施形態２に係る液体拭き取り機構の構成を＋Ｙ軸方向から見た図。
【図１１】実施形態３に係る液体拭き取り機構の構成を−Ｘ軸方向から見た図。
【図１２】実施形態３に係る液体拭き取り機構の構成を−Ｚ軸方向から見た図。
【図１３】実施形態４に係る液体拭き取り機構の構成を−Ｘ軸方向から見た図。
【図１４】実施形態４に係る液体拭き取り機構の構成を−Ｚ軸方向から見た図。
【図１５】実施形態５に係る液体拭き取り機構の構成を−Ｘ軸方向から見た図。
【図１６】実施形態５に係る液体拭き取り機構の構成を−Ｚ軸方向から見た図。
【図１７】実施形態６に係る液体拭き取り機構の構成を−Ｘ軸方向から見た図。
【図１８】実施形態７に係る液体拭き取り機構の構成を＋Ｙ軸方向から見た図。
【図１９】変形例１に係る液体拭き取り機構の構成を＋Ｙ軸方向から見た図。
【図２０】変形例２に係る液体拭き取り機構の構成を＋Ｙ軸方向から見た図。
【図２１】変形例２に係る液体拭き取り機構の構成を−Ｚ軸方向から見た図。
【発明を実施するための形態】
【００１８】
以下、本発明の実施形態について、図面を参照して説明する。なお、以下の各図においては、各部材を認識可能な程度の大きさにするため、各部材の尺度を実際とは異ならせしめている。また、以下は本発明の一実施形態であって、本発明を限定するものではない。更に、図面に付記する座標においては、Ｚ軸方向がＺ軸方向（上下方向）、Ｘ軸方向が左右方向、Ｙ軸方向が交差方向（前後方向）である。また、矢印が向いている方を＋とし、矢印が向いている方と反対の方を−とする。
【００１９】
（実施形態１）
まず、記録装置１の構成について説明する。記録装置１は、例えば、インクジェット式プリンターである。本実施形態では、比較的大型のメディア（媒体）を扱うラージフォーマットプリンター（ＬＦＰ）や、さらに大型のメディアを扱うグランドフォーマットプリンター（ＧＦＰ）を記録装置１の構成例として説明する。
【００２０】
図１は、Ｘ軸方向から見た実施形態１に係る記録装置１の全体図である。図１に示すように、記録装置１は、メディアＭを搬送する搬送部２と、メディアＭの表面Ｍａに向けて液滴の一例としてのインクを吐出する記録ヘッド３１と、メディアＭの裏面Ｍｂを支持する支持面５ａを有する支持部５と、メディアＭの表面Ｍａに付着したインクを加熱する加熱部としてのヒーター７２等を備えている。また、メディアＭの材質は特に限定されず、紙材やフィルム材等を適用することができる。
【００２１】
また、記録装置１は、搬送部２や記録ヘッド３１、ヒーター７２等を有している。これらの各構成部は、略Ｚ軸方向に配置された本体フレーム１０に支持されている。また、本体フレーム１０は、本体フレーム１０を支持するベース部１１に接続されている。
【００２２】
搬送部２は、メディアＭを搬送方向（図中の白抜き矢印方向）に搬送するものである。本実施形態では、ロール・ツー・ロール方式でメディアＭを搬送する。搬送部２は、ロール状のメディアＭを搬送方向に送り出すロールユニット２１と、メディアＭを記録ヘッド３１の方向へ送り出す搬送ローラー対２３と、送り出されたメディアＭを巻き取り可能なロールユニット（リールユニット）２２とを有している。搬送ローラー対２３は、第１ローラー２３ａと第１ローラー２３ａよりもＺ軸方向下方に配置された第２ローラー２３ｂとを有している。第１ローラー２３ａは、従動ローラーであり、第２ローラー２３ｂは駆動ローラーである。メディアＭは、第１ローラー２３ａと第２ローラー２３ｂとにより挟持された状態で、第２ローラー２３ｂが駆動することにより、搬送経路に沿って搬送される。
【００２３】
支持部５は、搬送ローラー対２３によって搬送されたメディアＭの裏面Ｍｂを支持するものである。支持部５は、アルミニウムやステンレス等の金属でできており、メディアＭの裏面ＭｂにＺ軸方向下側から接触する略平面状の支持面５ａを有する。支持部５には、メディアＭを加熱可能なヒーター７２が配置されている。本実施形態のヒーター７２は、支持部５の支持面５ａとは反対側の面（裏面）側に配置されている。ヒーター７２は、例えば、チューブヒーターであり、アルミテープ等を介して、支持部５の裏面に貼付されている。そして、ヒーター７２を駆動させることにより、熱伝導でメディアＭの裏面Ｍｂを支持する支持面５ａを加熱することができる。言い換えれば、メディアＭの表面Ｍａに付着した液滴を加熱する加熱部が設けられている。
【００２４】
図２は液体拭き取り機構の構成を＋Ｙ軸方向から見た図である。図２に示すように、記録ヘッド３１は、メディアＭあるいは支持部５のＸ軸方向における幅（メディアＭあるいは支持部５の幅）以下の記録領域Ｅにおいて、メディアＭの表面Ｍａにインクを吐出して画像、文字等を記録するものである。記録ヘッド３１は、略直方体形状のキャリッジ３２に支持されている。キャリッジ３２は、キャリッジガイド３３に沿って、Ｘ軸方向（走査方向、幅方向ともいう）に往復移動可能である。これにより、キャリッジ３２のＸ軸方向の往復移動に伴って、記録ヘッド３１もキャリッジ３２と同一速度でＸ軸方向に往復移動することができ、記録ヘッド３１による記録領域Ｅにおいて画像、文字等を形成することができる。また、記録装置１は、枠体３９を有し、枠体３９の内部に記録ヘッド３１及びキャリッジ３２が配置されている。記録ヘッド３１は、液滴を吐出可能な複数の孔（ノズル）を有するノズル面３１ａを含み、駆動素子としての圧電素子の駆動により、ノズルからインクを液滴として吐出させることができる。ここで、キャリッジ３２及び記録ヘッド３１が往復移動する経路を走査経路ＳＰとする。つまり、走査経路ＳＰは記録領域Ｅを横切る。そして、走査経路ＳＰに沿った方向を走査方向ＳＤとする。本実施形態では、走査方向ＳＤとメディアＭの幅方向とが一致し、メディアＭの幅方向とＸ軸方向とが一致している。つまり、本実施形態では、走査方向ＳＤとＸ軸方向とが一致している。即ち、記録ヘッド３１は、メディアＭの表面Ｍａに対向して走査経路ＳＰに沿って移動し、メディアＭの表面Ｍａに液滴を吐出して画像、文字等を記録する。なお、走査方向ＳＤはメディアＭの幅方向と同一の方向であっても良いし、異なる方向でも良い。ノズル面３１ａは、支持部５の支持面５ａに略平行に対向している。これにより、メディアＭに画像等を記録（印刷）することができる。また、記録領域Ｅでは、支持面５ａに支持されたメディアＭを上方（表面Ｍａ側）から支持面５ａ側に押さえる押え部（図示せず）や、メディアＭの裏面Ｍｂを吸引して支持面５ａに密着させるための吸引孔（図示せず）が設けられている。吸引孔の場合は、支持部５の支持面５ａとは反対側の面（裏面）側に大気圧よりも気圧を低く保つ箱状の負圧室（図示せず）と、負圧室を大気圧よりも気圧を低くするための吸引ファン（図示せず）と、が設けられていることが好ましい。これにより、支持面５ａ上のメディアＭの浮き等を抑えた状態で、記録ヘッド３１から液滴（インク）を吐出させる。これにより、液滴（インク）を正確な位置に着弾させ、画像品質を向上させることができる。
【００２５】
ここで、記録ヘッド３１へのインクの供給は、図示しないインク供給部により行われる。インク供給部は、インクタンクおよびインクタンクから記録ヘッド３１にインクを供給するインク供給路（図示省略）などを備えている。
インクには、例えば、濃インク組成物からなるインクセットとして、シアン（Ｃ）、マゼンタ（Ｍ）、イエロー（Ｙ）の３色のインクセットにブラック（Ｋ）を加えた４色のインクセットなどがある。また、例えば、それぞれの色材の濃度を淡くした淡インク組成物からなるライトシアン（Ｌｃ）、ライトマゼンタ（Ｌｍ）、ライトイエロー（Ｌｙ）、ライトブラック（Ｌｋ）などのインクセットを加えた８色のインクセットなどがある。インクタンク、インク供給路、および同一インクを吐出するノズルまでのインク供給経路は、インク毎に独立して設けられている。本実施形態では、記録ヘッド３１がキャリッジ３２に対して１つ搭載され、１つの記録ヘッド３１からシアン（Ｃ）、マゼンタ（Ｍ）、イエロー（Ｙ）、ブラック（Ｋ）の各色に対応するインクが吐出される。なお、前述のインク供給路には、インク温度を検出するための温度検出部Ｔｈが設けられている（図示せず）。インクは、記録ヘッド３１に供給されていることで記録ヘッド３１と接触している。これにより、インクと記録ヘッド３１とは熱平衡状態にあるため、インク供給路に温度検出部Ｔｈを設けることで、間接的にノズル面３１ａの温度を検出することができる。この場合、インク供給路（図示省略）と温度検出部Ｔｈとは大気と直接接触しないように断熱材（ポリウレタン等）で断熱されていることが好ましい。これにより、温度検出部Ｔｈが大気と触れることで温度検出に誤差が生じることを抑制できる。更に、温度検出部Ｔｈは、インク供給路（図示省略）のうち記録ヘッド３１近傍に設けられることが好ましい。これにより、記録ヘッド３１と距離が近いインク供給路を通るインクの温度を検出することで、インクの温度からノズル面３１ａの温度を推定する際の精度を高めることができる。温度検出部Ｔｈとしては、インク供給路に接触して温度を検出するサーミスタや、インク供給路から発せられる赤外線を非接触で検出する赤外線センサーでも良い。また、ノズル面３１ａの温度を直接的に検出する構成でも良い。
【００２６】
次に、記録装置１における制御部１２の構成について、図３を用いて詳述する。図３は、実施形態１に係る記録装置１の制御部１２の構成を示す図である。制御部１２は、Ｉ／Ｆ（インターフェース）部１２１と、ＣＰＵ（Central Processing Unit）１２２と、メモリー１２３と、駆動制御部１２４と、を含み、記録装置１の制御を行う。Ｉ／Ｆ部１２１は、コンピューター１３と記録装置１との間でデータの送受信を行う。
ＣＰＵ１２２は、記録装置１全体の制御を行うための演算処理装置である。
メモリー１２３は、ＣＰＵ１２２が動作するプログラムを格納する領域や動作する作業領域などを確保する記憶媒体であり、ＲＡＭ、ＥＥＰＲＯＭなどの記憶素子によって構成される。
ＣＰＵ１２２は、メモリー１２３に格納されているプログラム、およびコンピューター１３から送信された画像データに従って、駆動制御部１２４を介して記録ヘッド３１、ヒーター７２、第１の冷却部８を制御する。また、駆動制御部１２４は、温度検出部Ｔｈからの出力に応じて、第１の冷却部８を制御する機能も有する。なお、本実施形態における第１の冷却部８は、本願発明における「冷却部」と同一の概念である。
【００２７】
駆動制御部１２４は、ＣＰＵ１２２の制御に基づいて、記録ヘッド３１、キャリッジ３２、ヒーター７２、第１の冷却部８の駆動を制御する。搬送部２に対しては、ロールユニット２１と、搬送ローラー対２３と、ロールユニット（リールユニット）２２と、を制御することで、コンピューター１３から送信された記録条件に応じて適切な搬送速度でメディアＭが搬送されるように制御する。記録ヘッド３１に対しては、単位時間に吐出されるインクの量やインク滴の大きさを制御することで、コンピューター１３から送信された記録条件に応じて適切な画像濃度で画像が形成されるように制御する。キャリッジ３２に対しては、走査方向ＳＤの移動速度や移動範囲を制御することで、コンピューター１３から送信された記録条件に基づいて最適な記録速度や画像幅となるように制御する。ヒーター７２に対しては、記録ヘッド３１から単位時間に吐出されたインクの量やメディアＭの種類等に基づいてヒーター７２の温度を制御する。第１の冷却部８に対しては、温度検出部Ｔｈにより検出されたノズル面３１ａの温度に基づいて、第１の冷却面８ａの温度がノズル面３１ａの温度よりも低くなるように制御する。なお、駆動制御部１２４による各制御内容は上記に挙げたものに限定されるものではない。本実施形態では駆動制御部１２４が記録ヘッド３１、キャリッジ３２、ヒーター７２、第１の冷却部８の駆動を制御する構成だが、記録ヘッド３１、キャリッジ３２、ヒーター７２、第１の冷却部８それぞれに対して別個に制御部を設ける構成でも良い。
【００２８】
次に、第１の冷却部８と第１のワイパー部材９との構成について、図２及び図４を用いて詳述する。ここで、第１の冷却部８と第１のワイパー部材９とを合わせて液体拭き取り機構と呼ぶ場合もある。図４は液体拭き取り機構の構成を＋Ｚ軸方向から見た図である。なお、本実施形態における第１のワイパー部材９は、本願発明における「ワイパー部材」と同一の概念である。
【００２９】
図２及び図４に示すように、キャリッジ３２には第１の冷却面８ａを有する第１の冷却部８が取り付けられている。第１の冷却部８は−Ｚ軸方向下側の底面に第１の冷却面８ａを備えた略直方体形状の筐体を有し、筐体の中には第１の冷却面８ａを低温にするための冷却機構（ペルチェ素子による熱電変換方式や冷媒循環方式等）が収納されている。第１の冷却面８ａは、アルミニウムやステンレス等、高い熱伝導性を有する材料で構成されている。更に、第１の冷却面８ａと前述の冷却機構とは、直接的或いは間接的に接続されている。間接的に接続されている場合は、熱伝導性を有する接着剤（銀（Ａｇ）等の熱伝導性フィラーを含むシリコーン系接着剤等）や、熱伝導性を有する固定部材（アルミニウムやステンレス等でできた板金やボルト等）を用いて第１の冷却面８ａと前述の冷却機構とを接続する。筐体の中には、冷却機構を駆動するための制御回路が収納されていても良い。更に、第１の冷却部８は、キャリッジ３２と走査方向ＳＤに並ぶように配置されると共に、キャリッジ３２に対して連結部材ＣＮを用いて固定されている。これにより、キャリッジ３２がキャリッジガイド３３に沿って走査方向ＳＤに往復移動すると、第１の冷却部８及び第１の冷却面８ａも走査方向ＳＤに往復移動する。支持部５の支持面５ａ（以降、単に支持面５ａと呼ぶ）にはメディアＭが載置されている。なお、図２では説明を簡単にするため、メディアＭの裏面Ｍｂと支持面５ａとの位置を、Ｚ軸方向にずらして表現している。記録ヘッド３１は、メディアＭの表面Ｍａにおいて画像や文字等が形成される記録領域Ｅでインクを吐出する。第１の冷却面８ａとノズル面３１ａとは、支持面５ａと略平行に対向している。第１の冷却面８ａは、メディアＭの表面Ｍａに付着したインクの溶媒（水、有機溶媒等）がヒーター７２によって加熱される際に発生する蒸気を、冷却して液化することができる。言い換えれば、第１の冷却面８ａは、支持面５ａに対向してヒーター７２によりインクが加熱された際に発生する蒸気を冷却して液体とすることができる。このとき、第１の冷却面８ａの温度は、駆動制御部１２４によってノズル面３１ａの温度よりも５〜１０℃ほど低く制御（設定）されている。また、第１の冷却面８ａの支持面５ａからの距離Ｈ１は、ノズル面３１ａの第１の支持面５ａからの距離Ｈ２よりも小さく設定されている。なお、本実施形態における第１の冷却面８ａは、本願発明における「冷却面」と同一の概念である。
【００３０】
走査方向ＳＤにおける非記録領域ＮＥには、第１のワイパー部材９が設けられている。ここで、非記録領域ＮＥとは、記録ヘッド３１によってメディアＭの表面Ｍａへのインクの吐出が行われない領域を指し、本実施形態では記録領域Ｅに対して−Ｘ軸方向にある。なお、非記録領域ＮＥをホームポジションと呼ぶ場合もある。Ｚ軸方向における第１のワイパー部材９の一方側（＋Ｚ軸方向）は、第１のワイパー部材の第１の端部９ａ（端部９ａ）である。Ｚ軸方向における第１のワイパー部材９の他方側（−Ｚ軸方向）は、第１のワイパーベース部材９ｂに固定されている。第１のワイパーベース部材９ｂは、支持部５と枠体３９との少なくとも一方に固定されている。即ち、第１のワイパー部材９は、Ｚ軸方向において支持部５側に固定された第１のワイパーベース部材９ｂに設けられており、この状態を「支持部５側に設けられる」と表現することとする。また、第１のワイパー部材９は、ウレタンゴムやシリコーンゴム、フッ素ゴム等の弾性を有する材料で構成されている。更に、第１のワイパー部材９は、第１のワイパーベース部材９ｂの上面からの長さＷ１が、Ｘ軸方向の長さＷ２よりも大きく設定されている。これにより、第１のワイパー部材９にＸ軸方向の外力が働いた場合に、第１のワイパー部材９がＸ軸方向に屈曲することができる。
【００３１】
ここで、第１の端部９ａを通ってＸ軸方向に支持面５ａと平行に延びた第１の補助線Ｌ１を考えると、第１の端部９ａの支持面５ａからの距離Ｈ３（第１の補助線Ｌ１と、支持面５ａを通ってＸ軸方向に延びた第２の補助線Ｌ２と、の間の、Ｚ軸方向における距離）は、第１の冷却面８ａの支持面５ａからの距離Ｈ１以上且つノズル面３１ａの支持面５ａからの距離Ｈ２未満に設定されている（Ｈ１≦Ｈ３＜Ｈ２）。本実施形態では、第１の端部９ａの支持面５ａからの距離Ｈ３が、第１の冷却面８ａの支持面５ａからの距離Ｈ１よりも大きく設定されている場合について述べているが、第１の端部９ａの支持面５ａからの距離Ｈ３が、第１の冷却面８ａの支持面５ａからの距離Ｈ１と等しくても良い（Ｈ３＝Ｈ１）。ノズル面３１ａは、シリコン（Ｓｉ）等の基材に撥水加工を施された材料でできており、第１の冷却面８ａを構成する材料に比べて熱伝導性が小さいことが好ましい。また、第１のワイパー部材９は、走査方向ＳＤに沿って記録ヘッド３１及びキャリッジ３２が通る走査経路ＳＰに重なる位置に設けられている。そして、本実施形態においては、第１のワイパー部材９の第１の端部９ａのＹ軸方向の長さＹＢは、第１の冷却面８ａのＹ軸方向の長さＹＡ以上であることが好ましく、第１のワイパー部材９の第１の端部９ａが設けられている範囲のＹ軸に沿った長さＹＢ内に、第１の冷却面８ａのＹ軸方向の長さＹＡが収まっていることがより好ましい。これにより、第１のワイパー部材９の第１の端部９ａによる第１の冷却面８ａの拭き取りが不足することを抑制することができる。ここで、前述したように走査経路ＳＰは記録領域Ｅを横切るから、走査経路ＳＰは記録領域Ｅと非記録領域ＮＥとを横切る経路と言える。このとき、記録ヘッド３１及びキャリッジ３２が走査方向ＳＤに往復移動することに伴って第１の冷却面８ａも走査方向ＳＤに移動することから、走査経路ＳＰは第１の冷却面８ａが通る経路と言っても良い。即ち、第１の冷却面８ａは、ノズル面３１ａよりも温度が低く設定されて記録ヘッド３１と共に記録ヘッド３１が通る走査経路ＳＰに沿って移動する。
【００３２】
次に、記録装置１の動作について説明する。図５及び図６は、記録装置１の動作を示す模式図である。具体的には、主に第１の冷却面８ａと第１のワイパー部材９からなる液体拭き取り機構周辺の動作について説明する。
メディアＭは、記録ヘッド３１により画像や文字等が形成される際、記録ヘッド３１と対向する支持部５の支持面５ａまで、搬送部２によって搬送される。記録ヘッド３１は、走査方向ＳＤに往復移動しながらメディアＭの表面Ｍａにインクを吐出することで、メディアＭの表面Ｍａに画像や文字等が形成される。支持部５の支持面５ａとは反対側の面（裏面）側に配置されたヒーター７２によってメディアＭが加熱されることで、メディアＭの表面Ｍａに着弾したインクが加熱され、画像や文字等がメディアＭの表面Ｍａに定着する。このとき、インクが加熱されると、インクに含まれる溶媒が蒸発し、蒸気が記録領域Ｅに拡散する。溶媒は、例えば水や有機溶媒等であり、蒸気は溶媒が蒸発温度以上に加熱されることで気化したものである。したがって、蒸気の中には、多数の溶媒分子が含まれている。第１の冷却面８ａは、記録ヘッド３１の走査方向ＳＤにおける往復移動に伴って、溶媒分子が含まれる蒸気の中を走査方向ＳＤに往復移動する。このとき、第１の冷却面８ａは、ノズル面３１ａよりも温度が低く設定されているため、蒸気はノズル面３１ａよりも第１の冷却面８ａにおいて結露しやすくなる。これは、熱の流れ（熱輸送）が、大気の熱との熱勾配がより大きい第１の冷却面８ａの方に向かいやすいためである。この結果、第１の冷却面８ａには蒸気が液体となって付着し、蓄積される。このとき、記録ヘッド３１から吐出されたインクのメイン液滴から分離したサテライトがインクミストとなり、蒸気に混ざる場合がある。例えば、ポリマーを含むラテックスインクのインクミストが蒸気に混ざることで、液体の粘性が増加する場合がある。また、ポリマーを含むラテックスインクのインクミストが混ざった液体は、一般的に低温になるとゲル化して粘性が増加する傾向にある。
ここで、前述のように、端部９ａの支持面５ａからの距離Ｈ３が、第１の冷却面８ａの支持面５ａからの距離Ｈ１よりも大きく設定されている（図２）。これにより、図５に示すように、第１の冷却面８ａが非記録領域ＮＥにおいて第１のワイパー部材９に到達すると、第１の冷却面８ａに第１のワイパー部材９が当接する。これによって、第１のワイパー部材９の先端付近が−Ｘ軸方向に屈曲する。そして、図６に示すように、更に−Ｘ軸方向に記録ヘッド３１が移動すると、第１の冷却面８ａに付着した液体が、第１のワイパー部材９によって拭き取られる。第１のワイパー部材９によって第１の冷却面８ａに付着した液体が拭き取られた後、第１の冷却面８ａと第１のワイパー部材９とが互いに離間する。これにより、第１のワイパー部材９の弾性によって、第１のワイパー部材９の屈曲した状態が解除される。このように、記録ヘッド３１が走査経路ＳＰに沿って往復移動するたびに、非記録領域ＮＥにおいて第１の冷却面８ａに第１のワイパー部材９が摺接するので、第１の冷却面８ａの液体が拭き取られる。ここで、図６に示す状態では、ノズル面３１ａは非記録領域ＮＥに到達しているが、端部９ａの支持面５ａからの距離Ｈ３（第１の補助線Ｌ１と、支持面５ａを通ってＸ軸方向に延びた第２の補助線Ｌ２と、の間の、Ｚ軸方向における距離）は、ノズル面３１ａの支持面５ａからの距離Ｈ２未満（Ｈ３＜Ｈ２）に設定されているため、非記録領域ＮＥにおいてノズル面３１ａと第１のワイパー部材９が接触することはない。
【００３３】
以上述べたように、本実施形態に係る記録装置１によれば、以下の効果を得ることができる。
【００３４】
記録ヘッド３１によりメディアＭの表面Ｍａに吐出されたインクがヒーター７２で加熱される際、インクの溶媒が蒸発することにより蒸気が発生する。このとき、記録ヘッド３１のノズル面３１ａよりも温度が低く設定された第１の冷却面８ａで結露した液体を、第１のワイパー部材９で拭き取ることができる。このとき、第１の冷却面８ａの支持面５ａからの距離Ｈ１は、ノズル面３１ａの支持面５ａからの距離Ｈ２よりも小さく設定されている。更に、第１の端部９ａの支持面５ａからの距離Ｈ３は、第１の冷却面８ａの支持面５ａからの距離Ｈ１以上且つノズル面３１ａの支持面５ａからの距離Ｈ２未満に設定されている。これにより、第１のワイパー部材９の第１の端部９ａが、第１の冷却面８ａに付着した液体を拭き取る際に、ノズル面３１ａに第１のワイパー部材９の第１の端部９ａが接触することを抑制できる。したがって、第１のワイパー部材９の接触に起因してノズル面３１ａが傷付くことを抑制できる。また、第１のワイパー部材９は、メディアＭを支持する支持部５側、且つ、走査経路ＳＰにおいて記録が行われない非記録領域ＮＥに設けられている。これにより、記録ヘッド３１と第１の冷却面８ａが走査経路ＳＰに沿いながら非記録領域ＮＥを通って移動する度に、第１のワイパー部材９は冷却面を拭き取ることができる。即ち、記録ヘッド３１が往復移動する際に、第１のワイパー部材９が第１の冷却面８ａに押し当てられながら摺動するため、第１の冷却面８ａに付着した液体を第１のワイパー部材９で拭き取ることができる。例えば、インクにポリマーを含むラテックスインク等から発生したインクミストが蒸気に混ざることで、液体の粘性が増加する場合がある。その上、冷却面に付着して冷却されることで、ポリマーを含むインクのインクミストが混ざった液体はゲル化するため、更に粘性が高くなる場合がある。本実施形態によれば、液体の粘度が高い場合であっても、第１の冷却面８ａに第１のワイパー部材９を押し当てながら拭き取るように構成されているため、第１の冷却面８ａに液体が蓄積されることを抑制できる。これにより、蓄積した液体がメディアＭの表面Ｍａに落下してメディアＭの表面Ｍａを汚すことを抑制できる。
【００３５】
（実施形態２）
次に、実施形態２について説明する。
図７〜図１０は、本実施形態に係る液体拭き取り機構の構成を＋Ｙ軸方向から見た図である。また、本実施形態に係る液体拭き取り機構を備える記録装置１Ａの動作についても後述する。
【００３６】
まず、本実施形態に係る液体拭き取り機構の構成について、これらの図を参照して説明する。なお、実施形態１と同一の構成部位については、同一の符号を使用し、重複する説明は省略する。図７に示すように、本実施形態では、第１の冷却部８に加えて、第２の冷却部８１が設けられている。具体的には、第１の冷却部８はキャリッジ３２に対して走査方向ＳＤの一方側（−Ｘ軸方向）に設けられ、第２の冷却部８１はキャリッジ３２に対して走査方向ＳＤの他方側（＋Ｘ軸方向）に設けられている。本実施形態における第２の冷却部８１は、第１の冷却部８と同様に、Ｚ軸方向下側の底面に第２の冷却面８１ａを備えた略直方体形状の筐体を有し、筐体の中には第２の冷却面８１ａを低温にするための冷却機構が収納されている。第１の冷却部８と第２の冷却部８１とは、キャリッジ３２と走査方向ＳＤに並ぶように配置されると共に、キャリッジ３２に対して連結部材ＣＮを用いて固定されている。これにより、キャリッジ３２がキャリッジガイド３３に沿って走査方向ＳＤに往復移動すると、第１の冷却部８及び第１の冷却面８ａ、第２の冷却部８１及び第２の冷却面８１ａも走査方向ＳＤに往復移動する。即ち、冷却面は、第１の冷却面８ａと第２の冷却面８１ａとを含み、第１の冷却面８ａと第２の冷却面８１ａとがノズル面３１ａに対して走査方向ＳＤの一方側と他方側とに設けられている。支持部５の支持面５ａ（以降、単に支持面５ａと呼ぶ）にはメディアＭが載置されている。なお、図７では説明を簡単にするため、メディアＭの裏面Ｍｂと支持面５ａとの位置を、Ｚ軸方向にずらして表現している。記録ヘッド３１は、メディアＭの表面Ｍａにおいて画像や文字等が形成される記録領域Ｅでインクを吐出する。第２の冷却面８１ａとノズル面３１ａとは、支持面５ａと略平行に対向している。第２の冷却面８１ａは、メディアＭの表面Ｍａに付着したインクの溶媒（水、有機溶媒等）がヒーター７２によって加熱される際に発生する蒸気を、冷却して液化することができる。言い換えれば、第２の冷却面８１ａは、第１の冷却面８ａと同様に、支持面５ａに対向してヒーター７２によりインクが加熱された際に発生する蒸気を冷却して液体とすることができる。このとき、第２の冷却面８１ａの温度は、駆動制御部１２４によってノズル面３１ａの温度よりも５〜１０℃ほど低く制御（設定）されている。また、第２の冷却面８１ａの支持面５ａからの距離Ｈ４は、ノズル面３１ａの支持面５ａからの距離Ｈ２よりも小さく設定されている。なお、第２の冷却面８１ａの温度は、ノズル面３１ａの温度よりも５〜１０℃ほど低く制御（設定）されていれば、第１の冷却面８ａと異なる温度でも良い。
【００３７】
走査方向ＳＤにおける第１の非記録領域ＮＥ１には第１のワイパー部材９が、第２の非記録領域ＮＥ２には第２のワイパー部材９１が、それぞれ設けられている。ここで、第２の非記録領域ＮＥ２とは、記録ヘッド３１によってメディアＭの表面Ｍａへのインクの吐出が行われない領域を指し、本実施形態では記録領域Ｅに対して＋Ｘ軸方向にある。なお、第２の非記録領域ＮＥ２をフルポジションと呼ぶ場合もある。また、第１の非記録領域ＮＥ１は、実施形態１における非記録領域ＮＥと同一である。ここでＺ軸方向における第２のワイパー部材９１の一方側（＋Ｚ軸方向）は、第２のワイパー部材９１の第２の端部９１ａである。このとき、第１のワイパー部材９の端部が第１の端部９ａである。Ｚ軸方向における第２のワイパー部材９１の他方側（−Ｚ軸方向）は、第２のワイパーベース部材９１ｂに固定されている。第２のワイパーベース部材９１ｂは、支持部５と枠体３９との少なくとも一方に固定されている。即ち、第２のワイパー部材９１は、Ｚ軸方向において支持部５側に固定された第２のワイパーベース部材９１ｂに設けられており、この状態を「支持部５側に設けられる」と表現することとする。また、第２のワイパー部材９１は、ウレタンゴムやシリコーンゴム、フッ素ゴム等の弾性を有する材料で構成されている。更に、第２のワイパー部材９１は、第２のワイパーベース部材９１ｂの上面からの長さＷ３が、Ｘ軸方向の長さＷ４よりも大きく設定されている。これにより、第２のワイパー部材９１にＸ軸方向の外力が働いた場合に、第２のワイパー部材９１がＸ軸方向に屈曲することができる。
【００３８】
ここで、第２の端部９１ａを通ってＸ軸方向に支持面５ａと平行に延びた第１の補助線Ｌ１を考えると、第２の端部９１ａの支持面５ａからの距離Ｈ５（第１の補助線Ｌ１と、支持面５ａを通ってＸ軸方向に延びた第２の補助線Ｌ２と、の間の、Ｚ軸方向における距離）は、第２の冷却面８１ａの支持面５ａからの距離Ｈ４以上且つノズル面３１ａの支持面５ａからの距離Ｈ２未満に設定されている。本実施形態では、第２の端部９１ａの支持面５ａからの距離Ｈ５が、第２の冷却面８１ａの支持面５ａからの距離Ｈ４よりも大きく設定されている場合について述べているが、第２の端部９１ａの支持面５ａからの距離Ｈ５が、第２の冷却面８１ａの支持面５ａからの距離Ｈ４と等しくても良い。また、第２のワイパー部材９１は、走査方向ＳＤに沿って記録ヘッド３１及びキャリッジ３２が通る走査経路ＳＰに重なる位置に設けられている。ここで、前述したように走査経路ＳＰは記録領域Ｅを横切るから、走査経路ＳＰは記録領域Ｅと第１の非記録領域ＮＥ１と第２の非記録領域ＮＥ２とを横切る経路と言える。このとき、記録ヘッド３１及びキャリッジ３２が走査方向ＳＤに往復移動することに伴って第２の冷却面８１ａも走査方向ＳＤに移動することから、走査経路ＳＰは第２の冷却面８１ａが通る経路と言っても良い。即ち、第２の冷却面８１ａは、ノズル面３１ａよりも温度が低く設定されて記録ヘッド３１と共に記録ヘッド３１が通る走査経路ＳＰに沿って移動する。
【００３９】
次に、記録装置１Ａの動作について説明する。図８及び図９は、記録装置１Ａの動作を示す模式図である。具体的には、主に第２の冷却面８１ａと第２のワイパー部材９１からなる液体拭き取り機構周辺の動作について説明する。
ヒーター７２によって蒸気が発生することについては実施形態１と同様であるので、説明を省略する。図７の状態から図８の状態になるまでに、第１の冷却面８ａには蒸気が液体となって付着し、蓄積される。ここで、実施形態１で述べたように、第１の端部９ａの支持面５ａからの距離Ｈ３が、第１の冷却面８ａの支持面５ａからの距離Ｈ１よりも大きく設定されている。これにより、図８に示すように第１の冷却面８ａが第１の非記録領域ＮＥ１において第１のワイパー部材９に到達すると、第１の冷却面８ａに第１のワイパー部材９が当接する。これによって、第１のワイパー部材９の先端付近が−Ｘ軸方向に屈曲する。
【００４０】
一方、図９に示すように、記録ヘッド３１が＋Ｘ軸方向に移動して、第２の冷却面８１ａが第２の非記録領域ＮＥ２において第２のワイパー部材９１に到達すると、第２の冷却面８１ａに第２のワイパー部材９１が当接する。これによって、第２のワイパー部材９１の先端付近が＋Ｘ軸方向に屈曲する。そして、図１０に示すように更に＋Ｘ軸方向に記録ヘッド３１が移動すると、第２の冷却面８１ａに付着した液体が、第２のワイパー部材９１によって拭き取られる。第２のワイパー部材９１によって第２の冷却面８１ａに付着した液体が拭き取られた後、第２の冷却面８１ａと第２のワイパー部材９１とが互いに離間する。これにより、第２のワイパー部材９１の弾性によって、第２のワイパー部材９１の屈曲した状態が解除される。このように、記録ヘッド３１が走査経路ＳＰに沿って往復移動するたびに、第２の非記録領域ＮＥ２において第２の冷却面８１ａに第２のワイパー部材９１が摺接するので、第２の冷却面８１ａの液体が拭き取られる。ここで、図１０に示す状態では、ノズル面３１ａは第２の非記録領域ＮＥ２に到達しているが、第２の端部９１ａの支持面５ａからの距離Ｈ５（第１の補助線Ｌ１と、支持面５ａを通ってＸ軸方向に延びた第２の補助線Ｌ２と、の間の、Ｚ軸方向における距離）は、ノズル面３１ａの支持面５ａからの距離Ｈ２未満（Ｈ５＜Ｈ２）に設定されているため、第２の非記録領域ＮＥ２においてノズル面３１ａと第２のワイパー部材９１が接触することはない。これにより、メディアＭを支持する支持部５側に設けられた第２のワイパー部材９１が、冷却面８１ａに付着した液体を拭き取る際に、ノズル面３１ａに第２のワイパー部材９１が接触することを抑制できる。したがって、第２のワイパー部材９１の接触に起因してノズル面３１ａが傷付くことを抑制できる。なお、本実施形態では第１の冷却部８と第２の冷却部８１とを区別したが、第１の冷却部８と第２の冷却部８１とは同一のものでも良い。即ち、第１の冷却部８と全く同じ構造の冷却部を第２の冷却部８１としても良い。また、第２のワイパー部材９１についても、第１のワイパー部材９と全く同じ構造を適用しても良い。
【００４１】
以上の構成により、記録ヘッド３１が走査方向ＳＤに往復移動するたびに、第１の非記録領域ＮＥ１において第１の冷却面８ａと第１のワイパー部材９が摺接して液体が拭き取られることに加えて、第２の非記録領域ＮＥ２において第２の冷却面８１ａと第２のワイパー部材９１が摺接して液体が拭き取られる。
【００４２】
以上述べたように、本実施形態に係る液体拭き取り機構を備える記録装置１Ａによれば、実施形態１での効果に加えて、以下の効果を得ることができる。
【００４３】
インクの溶媒が蒸発して発生した蒸気には溶媒の分子（溶媒分子）が含まれている。蒸気の中を記録ヘッド３１が走査経路ＳＰに沿う走査方向ＳＤに移動すると、溶媒分子と記録ヘッド３１とが走査方向ＳＤで衝突して、ノズル面３１ａで蒸気が結露する場合がある。本実施例によれば、このような場合であっても、第１の冷却面８ａと第２の冷却面８１ａとがノズル面３１ａに対して走査方向ＳＤにおける一方側と他方側に並んで配置されているため、溶媒分子がノズル面３１ａに衝突する前に冷却面に衝突する。具体的には、記録ヘッド３１に対して走査方向ＳＤにおける一方側（−Ｘ軸方向）に第１の冷却面８ａが設けられ、走査方向ＳＤにおける他方側（＋Ｘ軸方向）に第２の冷却面８１ａが設けられ、これにより、ノズル面３１ａに衝突する溶媒分子が減少するため、ノズル面３１ａで蒸気が結露することを抑制できる。つまり、走査方向ＳＤの一方側と他方側とから向かってくる溶媒分子に起因するノズル面３１ａでの結露を、更に抑制することができる。
【００４４】
（実施形態３）
次に、実施形態３について説明する。実施形態３の構成のうち実施形態１や実施形態２と同様の構成については、実施形態１や実施形態２と同一の符号を付して詳細な説明を省略する。
図１１は、本実施形態の液体拭き取り機構の構成を−Ｘ軸方向から見た図であり、図１２は、実施形態の液体拭き取り機構の構成を−Ｚ軸方向から見たものである。なお、図１２においては、本実施形態の液体拭き取り機構を説明するために必要な構成以外は省略している。
図１１及び図１２に示すように、本実施形態に係る液体拭き取り機構では、第１の冷却部８と第２の冷却部８１が記録ヘッド３１（キャリッジ３２）に対して走査方向ＳＤの一方側と他方側とに設けられていることに加え、第３の冷却部８２が記録ヘッド３１（キャリッジ３２）に対して走査方向ＳＤと交差する交差方向（Ｙ軸方向）の一方側（＋Ｙ軸方向）と他方側（−Ｙ軸方向）とに設けられている。つまり、第１の冷却部８と第２の冷却部８１とがノズル面３１ａに対して走査方向ＳＤの一方側（＋Ｘ軸方向）と他方側（−Ｘ軸方向）とに設けられていることに加え、第３の冷却部８２がノズル面３１ａに対して走査方向ＳＤと交差する交差方向（Ｙ軸方向）の一方側（＋Ｙ軸方向）と他方側（−Ｙ軸方向）とに設けられている。本実施形態における第３の冷却部８２は、第１の冷却部８や第２の冷却部８１と同様に、Ｚ軸方向下側の底面に第３の冷却面８２ａを備えた略直方体形状の筐体を有し、筐体の中には第３の冷却面８２ａを低温にするための冷却機構が収納されている。即ち、第１の冷却面８ａと第２の冷却面８１ａがノズル面３１ａに対して走査方向ＳＤの一方側（＋Ｘ軸方向）と他方側（−Ｘ軸方向）とに設けられていることに加え、第３の冷却面８２ａがノズル面３１ａに対して走査方向ＳＤと交差する交差方向（Ｙ軸方向）の一方側（＋Ｙ軸方向）と他方側（−Ｙ軸方向）とに設けられている。即ち、冷却面は、第３の冷却面８２ａを含む。ここで、走査方向ＳＤにおける非記録領域ＮＥには、ワイパー部材９２が設けられている。Ｚ軸方向におけるワイパー部材９２の一方側（＋Ｚ軸方向）は、ワイパー部材９２の端部９２ａである。Ｚ軸方向におけるワイパー部材９２の他方側（−Ｚ軸方向）は、ワイパーベース部材９２ｂに固定されている。記録ヘッド３１が走査方向ＳＤに往復移動すると、第３の冷却面８２ａは記録領域Ｅと非記録領域ＮＥとを通過する。即ち、第３の冷却面８２ａは、ワイパー部材９２を通過するまで、走査方向ＳＤに沿って移動する。この場合、Ｘ軸方向から見て、ワイパー部材９２の端部９２ａのＹ軸方向の長さＹ２は、Ｙ軸方向における第３の冷却面８２ａの設けられている範囲Ｙ１以上であることが好ましい。これにより、交差方向（Ｙ軸方向）の一方側と他方側とに設けられた第３の冷却面８２ａにおいて、液体の拭き取り量が不足することを抑制できる。なお、第３の冷却面８２ａは交差方向（Ｙ軸方向）の一方側と他方側との両方に設けられていなくても良い。蒸気の発生量に応じて、交差方向（Ｙ軸方向）の一方側と他方側とのいずれか一方に第３の冷却面８２ａが設けられる構成でも良い。
【００４５】
以上述べたように、本実施形態に係る液体拭き取り機構を備える記録装置１Ｂによれば、実施形態１での効果に加えて、以下の効果を得ることができる。
【００４６】
記録ヘッド３１と第１の冷却面８ａ（第２の冷却面８１ａ）が走査経路ＳＰに沿う走査方向ＳＤに移動すると、大気と記録ヘッド３１或いは大気と第１の冷却面８ａとの相対運動等に起因して、気流が発生する場合がある。このとき、当該気流は走査方向ＳＤだけでなく、交差方向であるＹ軸方向からも回り込む場合がある。本適用例によれば、走査方向ＳＤに加えてＹ軸方向から回り込んでくる蒸気に含まれる溶媒分子が、ノズル面３１ａに衝突する前に第３の冷却面８２ａに衝突する。これにより、ノズル面３１ａに衝突する溶媒分子が更に減少するため、ノズル面３１ａで蒸気が結露することを更に抑制できる。
【００４７】
（実施形態４）
次に、実施形態４について説明する。実施形態４の構成のうち実施形態１〜実施形態３と同様の構成については、実施形態１〜実施形態３と同一の符号を付して詳細な説明を省略する。
図１３は、本実施形態の液体拭き取り機構の構成を−Ｘ軸方向から見た図であり、図１４は、実施形態の液体拭き取り機構の構成を−Ｚ軸方向から見た図である。なお、図１４においては、本実施形態の液体拭き取り機構を説明するために必要な構成以外は省略している。
図１３及び図１４に示すように、本実施形態に係る液体拭き取り機構では、冷却部８３を備える。本実施形態における冷却部８３は、Ｚ軸方向下側の底面に冷却面８３ａを備えた略直方体形状の筐体を有し、筐体の中には冷却面８３ａを低温にするための冷却機構が収納されている。ここで、走査方向ＳＤにおける非記録領域ＮＥには、ワイパー部材９３が設けられている。Ｚ軸方向におけるワイパー部材９３の一方側（＋Ｚ軸方向）は、ワイパー部材９３の端部９３ａである。Ｚ軸方向におけるワイパー部材９３の他方側（−Ｚ軸方向）は、ワイパーベース部材９３ｂに固定されている。記録ヘッド３１が走査方向ＳＤに往復移動すると、冷却面８３ａは記録領域Ｅと非記録領域ＮＥとを通過する。即ち、冷却面８３ａは、ワイパー部材９３を通過するまで、走査方向ＳＤに沿って移動する。冷却面８３ａは、ヒーター７２による被加熱領域の範囲Ｙ５と対向し、冷却面８３ａの交差方向（Ｙ軸方向）の長さＹ３は、ノズル面３１ａの交差方向（Ｙ軸方向）の長さＹ４以上である。具体的には、Ｘ軸方向から見た場合、冷却面８３ａは、ヒーター７２による被加熱領域の範囲Ｙ５に対向している。この場合、Ｘ軸方向から見て、ワイパー部材９３の端部９３ａのＹ軸方向の長さＹ２は、冷却面８３ａ交差方向の長さＹ３以上であることが好ましい。これにより、冷却面８３ａにおいて、液体の拭き取り量が不足することを抑制できる。ここで、被加熱領域は、メディアＭにおける記録領域Ｅの少なくとも一部がヒーター７２によって加熱される領域である。具体的には、Ｙ軸方向においてヒーター７２が設けられている範囲Ｙ５と、支持面５ａのうちヒーター７２からの熱が伝達されて所望の温度に熱平衡している領域（不図示）と、を含む概念である。本実施形態では、被加熱領域はＹ軸方向においてヒーター７２が設けられている範囲Ｙ５と略一致しているが、これに限定されない。なお、本実施形態における冷却部８３は、記録ヘッド３１に対して−Ｘ軸方向に設けられているが、これに限定されない。例えば、冷却部８３が記録ヘッド３１に対して＋Ｘ軸方向に設けられていても良い。即ち、実施形態２と同様に、冷却面８３ａがノズル面３１ａに対して走査方向ＳＤの一方側と他方側とに設けられている場合にも、本実施形態は適用できる。この場合には、走査方向ＳＤにおいて記録ヘッド３１に対して一方側にある冷却面８３ａ（第１の冷却面）の交差方向の長さと、走査方向ＳＤにおいて記録ヘッド３１に対して他方側にある冷却面８３ａ（第２の冷却面）の交差方向の長さと、の少なくとも一方が、ノズル面３１ａの交差方向の長さＹ４以上であれば良い。特に、走査方向ＳＤにおいて記録ヘッド３１に対して一方側にある冷却面８３ａ（第１の冷却面）の交差方向の長さと、走査方向ＳＤにおいて記録ヘッド３１に対して他方側にある冷却面８３ａ（第２の冷却面）の交差方向の長さと、の両方が、ノズル面３１ａの交差方向の長さＹ４以上であることが好ましい。これにより、走査方向ＳＤの一方側から飛来する溶媒分子と、走査方向ＳＤの他方側から飛来する溶媒分子と、がノズル面３１ａに衝突する領域を減らすことができ、ノズル面３１ａにおける結露を特に有効に抑制できる。
【００４８】
以上述べたように、本実施形態に係る液体拭き取り機構を備える記録装置１Ｃによれば、実施形態１での効果に加えて、以下の効果を得ることができる。
【００４９】
インクの溶媒が蒸発して発生した蒸気は、ヒーター７２による被加熱領域（加熱範囲）で多く発生する。ここで、ヒーター７２による被加熱領域（加熱範囲）は、図１１において範囲Ｙ５となる。本実施例によれば、冷却面８３ａと被加熱領域の範囲Ｙ５とが対向する範囲で蒸気を結露させることができる。更に、冷却面８３ａの交差方向（Ｙ軸方向）の長さＹ３は、ノズル面３１ａの交差方向（Ｙ軸方向）の長さＹ４以上である。言い換えれば、走査方向ＳＤから見て、冷却面８３ａが設けられている長さＹ３は、ノズル面３１ａの交差方向（Ｙ軸方向）の長さＹ４以上である。これにより、走査方向ＳＤから飛来する溶媒分子がノズル面３１ａに衝突する領域を減らすことができる。したがって、ノズル面３１ａで蒸気が結露することを抑制できる。
【００５０】
（実施形態５）
次に、実施形態５について説明する。実施形態５の構成のうち実施形態１〜実施形態４と同様の構成については、実施形態１〜実施形態４と同一の符号を付して詳細な説明を省略する。
図１５は、本実施形態の液体拭き取り機構の構成を−Ｘ軸方向から見たものであり、図１６は、実施形態の液体拭き取り機構の構成を−Ｚ軸方向から見たものである。なお、図１５においては、形状を説明するためにワイパー部材９４と冷却面（複数のフィン）の位置をＺ軸方向にずらして配置している。また、図１６においては、本実施形態の液体拭き取り機構を説明するために必要な構成以外は省略している。
図１５及び図１６に示すように、本実施形態に係る液体拭き取り機構は、冷却部８４を備える。また、本実施形態では、冷却面は走査方向ＳＤと平行な複数のフィン８４ｂであり、ワイパー部材９４の表面には、複数のフィンと係合する凹凸９４ｃが設けられている。具体的には、本実施形態における冷却面は、走査方向ＳＤと平行なリブとなった複数のフィン８４ｂである。つまり、実施形態１の第１の冷却面８ａは略連続平面であるのに対し、本実施形態の冷却面は複数のフィン８４ｂである。複数のフィン８４ｂは、−Ｚ軸方向に突出して走査方向ＳＤに延在する凸部８４ｂ’（リブ）であり、凸部８４ｂ’（リブ）に対して相対的に＋Ｚ軸方向に凹んでいる凹部８４ｂ”とＹ軸方向において交互に並んでいる。このとき、凹部８４ｂ”からの凸部８４ｂ’の高さをＧ１とする。一方、ワイパー部材９４の凹凸９４ｃは、＋Ｚ軸方向に突出する凸部９４ｃ’と、Ｚ軸方向において凸部９４ｃ’に対して相対的に凹んでいる凹部９４ｃ”と、がＹ軸方向において交互に並んで構成されている。このとき、凹部９４ｃ”からの凸部９４ｃ’の高さをＧ２とする。この状態で、凸部８４ｂ’と凹部９４ｃ”、凹部８４ｂ”と凸部９４ｃ’とが係合することで、冷却面である（フィン８４ｂ）に付着した液体を拭き取ることができる。なお、凸部８４ｂ’と凹部８４ｂ”、凸部９４ｃ’と凹部９４ｃ”は、液体を拭き取ることができれば形状やサイズは問わない。したがって、本実施形態における「凸部８４ｂ’と凹部９４ｃ”、凹部８４ｂ”と凸部９４ｃ’とが係合する」とは、液体を拭き取ることができれば適宜形状やサイズを変更可能であることを意味する。また、本実施形態では、凹部８４ｂ”からのリブ凸部８４ｂ’の高さＧ１と、凹部９４ｃ”からの凸部９４ｃ’の高さＧ２と、が等しい（Ｇ１＝Ｇ２）。しかしながら、サイズはこれに限定されるものではない。凹部９４ｃ”からの凸部９４ｃ’の高さＧ２が、凹部８４ｂ”からのリブ凸部８４ｂ’の高さＧ１より大きくても良い。つまり、Ｇ２＞Ｇ１でも良い。また、凸部８４ｂ’と凹部８４ｂ”とは別体であっても良い。例えば、略連続平面の冷却面に、熱伝導性接着剤によって凸部８４ｂ’を貼り付けるものでも良い。この場合には、略連続平面の冷却面を構成する材料と、凸部８４ｂ’を構成する材料と、の熱伝導率がそれぞれ略等しいことが好ましい。
【００５１】
以上述べたように、本実施形態に係る液体拭き取り機構を備える記録装置１Ｄによれば、実施形態１での効果に加えて、以下の効果を得ることができる。
【００５２】
冷却面は、走査方向ＳＤと平行な複数のフィン８４ｂであり、ワイパー部材９４は、複数のフィン８４ｂと係合する凹凸９４ｃが設けられる。これにより、冷却面が複数のフィン８４ｂではない場合と比べて、冷却面の表面積を大きくすることができる。これにより、冷却面に付着する液体の量を多くすることができる。このため、ノズル面３１ａで結露することを一層抑制できる。さらに、ワイパー部材９４の表面に複数のフィン８４ｂと係合する凹凸９４ｃが設けられているので、冷却面としての複数のフィン８４ｂのうち、凹部８４ｂ”に付着した液体が拭き取られずに当該凹部８４ｂ”に液体が残ってしまうことを抑制できる。なお、本実施形態では、図１６に示すように、冷却部８４がキャリッジ３２に対して走査方向ＳＤの一方側（−Ｘ軸方向）に設けられている。しかしながら、記録装置１Ｄの構成はこれに限定されず、冷却部８４がキャリッジ３２に対して走査方向ＳＤの他方側（＋Ｘ軸方向）に設けられた構成も採用され得る。さらに、記録装置１Ｄとしては、冷却部８４がキャリッジ３２に対して走査方向ＳＤの一方側（−Ｘ軸方向）と他方側（＋Ｘ軸方向）とに設けられた構成も採用され得る。さらに、記録装置１Ｄとしては、冷却部８４がキャリッジ３２に対して走査方向ＳＤの一方側（−Ｘ軸方向）と他方側（＋Ｘ軸方向）とに設けられ、かつ冷却部８４がキャリッジ３２に対して交差方向（Ｙ軸方向）の一方側（＋Ｙ軸方向）と他方側（−Ｙ軸方向）とに設けられた構成も採用され得る。さらに、冷却部８４がキャリッジ３２に対して走査方向ＳＤの一方側（−Ｘ軸方向）と他方側（＋Ｘ軸方向）とに設けられる構成では、キャリッジ３２に対して走査方向ＳＤの一方側（−Ｘ軸方向）と他方側（＋Ｘ軸方向）とに設けられた冷却部８４がヒーター７２による被加熱領域の範囲Ｙ５（図１４）と対向し、冷却面としての複数のフィン８４ｂが設けられた領域の交差方向（Ｙ軸方向）の長さが、ノズル面３１ａの交差方向（Ｙ軸方向）の長さ以上である構成も採用され得る。
【００５３】
（実施形態６）
次に、実施形態６について説明する。実施形態６の構成のうち実施形態１〜実施形態５と同様の構成については、実施形態１〜実施形態５と同一の符号を付して詳細な説明を省略する。
図１７は、本実施形態の液体拭き取り機構の構成を−Ｘ軸方向から見た図である。なお、−Ｚ軸方向から見た図は、凹凸の代わりにブラシが設けられている以外は図１６と同様であるので、省略する。
図１７に示すように、本実施形態に係る液体拭き取り機構では、冷却面は、走査方向ＳＤと平行な複数のフィン８４ｂであり、その点は実施形態５の冷却面と同様である。一方、ワイパー部材として、ブラシ９５が設けられている。ブラシ９５は、ブラシベース９５１に毛部９５２が設けられ、冷却面（フィン８４ｂ）が走査方向ＳＤに移動するのに伴い、凸部８４ｂ’と凹部８４ｂ”とに付着した液体を毛部９５２によって拭き取ることができる。なお、ブラシ９５は、ブラシベース９５１が無くても良く、毛部９５２のみでブラシ９５が構成されていても良い。また、本実施形態では、凹部８４ｂ”からのリブ凸部８４ｂ’の高さＧ１と、ブラシベース９５１の上面からの毛部９５２の高さＧ３と、が等しい（Ｇ１＝Ｇ２）。しかしながら、サイズはこれに限定されるものではない。ブラシベース９５１の上面からの毛部９５２の高さＧ３が、凹部８４ｂ”からのリブ凸部８４ｂ’の高さＧ１より大きくても良い。つまり、Ｇ３＞Ｇ１でも良い。
【００５４】
以上述べたように、本実施形態に係る液体拭き取り機構を備える記録装置１Ｅによれば、実施形態１での効果に加えて、以下の効果を得ることができる。
【００５５】
冷却面は、走査方向ＳＤと平行な複数のフィン８４ｂであり、ワイパー部材として、ブラシ９５が設けられる。これにより、複数のフィン８４ｂの凹凸に合わせてブラシ９５が接触可能となる。これにより、冷却面としてのフィン８４ｂのうち、凹部８４ｂ”に付着した液体が拭き取られずに当該凹部８４ｂ”に液体が残ってしまうことを抑制できる。なお、本実施形態では、図１８に示すように、冷却部８４がキャリッジ３２に対して走査方向ＳＤの一方側（−Ｘ軸方向）に設けられている。しかしながら、記録装置１Ｅの構成はこれに限定されず、冷却部８４がキャリッジ３２に対して走査方向ＳＤの他方側（＋Ｘ軸方向）に設けられた構成も採用され得る。さらに、記録装置１Ｅとしては、冷却部８４がキャリッジ３２に対して走査方向ＳＤの一方側（−Ｘ軸方向）と他方側（＋Ｘ軸方向）とに設けられた構成も採用され得る。さらに、記録装置１Ｅとしては、冷却部８４がキャリッジ３２に対して走査方向ＳＤの一方側（−Ｘ軸方向）と他方側（＋Ｘ軸方向）とに設けられ、かつ冷却部８４がキャリッジ３２に対して交差方向（Ｙ軸方向）の一方側（＋Ｙ軸方向）と他方側（−Ｙ軸方向）とに設けられた構成も採用され得る。さらに、冷却部８４がキャリッジ３２に対して走査方向ＳＤの一方側（−Ｘ軸方向）と他方側（＋Ｘ軸方向）とに設けられる構成では、キャリッジ３２に対して走査方向ＳＤの一方側（−Ｘ軸方向）と他方側（＋Ｘ軸方向）とに設けられた冷却部８４がヒーター７２による被加熱領域の範囲Ｙ５（図１４）と対向し、冷却面としての複数のフィン８４ｂが設けられた領域の交差方向（Ｙ軸方向）の長さが、ノズル面３１ａの交差方向（Ｙ軸方向）の長さ以上である構成も採用され得る。
【００５６】
（実施形態７）
次に、実施形態７について説明する。実施形態７の構成のうち実施形態１〜実施形態６と同様の構成については、実施形態１〜実施形態６と同一の符号を付して詳細な説明を省略する。
図１８は、本実施形態に係る液体拭き取り機構の構成を＋Ｙ軸方向から見た図である。
図１８に示すように、本実施形態に係る液体拭き取り機構では、キャリッジ３２と冷却部８５とが連結部材ＣＮを用いて固定されているのではなく、冷却部８５が走査方向ＳＤに移動するためのガイドレール８５ｄを用いている。冷却部８５は、モーターからベルト、プーリー等の伝達機構により駆動力が伝達され（モーター、ベルト、プーリー等はいずれも図示せず）、ガイドレール８５ｄに沿って走査方向ＳＤに移動する。この場合、キャリッジ３２と冷却部８５とは、同じ速度で走査方向ＳＤに移動することが好ましい。
【００５７】
以上述べたように、本実施形態に係る液体拭き取り機構を備える記録装置１Ｆによれば、実施形態１での効果に加えて、以下の効果を得ることができる。
【００５８】
キャリッジ３２はキャリッジガイド３３、冷却部８５はガイドレール８５ｄと、キャリッジ３２と冷却部８５とが分離して走査方向ＳＤに移動する。これにより、キャリッジ３２の重量が増加することを抑制でき、キャリッジ３２を駆動する駆動部（モーター等）に掛かる負担が軽減できる。
【００５９】
なお、本発明は上述した実施形態に限定されず、上述した実施形態に種々の変更や改良などを加えることが可能である。また、本発明は上述した実施形態それぞれを適宜組み合わせて構成されたものも包含される。また、本発明における「冷却面」とは、略連続平面に限定されるものではなく、任意形状の凹凸を含むものとする。ここで、変形例を以下に述べる。
【００６０】
（変形例１）実施形態１では、第１の冷却部８が、キャリッジ３２に対して連結部材ＣＮを用いて固定されているがこれに限定されない。図１９は本変形例に係る液体拭き取り機構を＋Ｙ軸方向から見た図である。
図１９に示すように、本変形例に係る液体拭き取り機構では、冷却部８６（冷却面８６ａ）と複数のノズル面３１ａとがＸ軸方向に交互に配置されている。このとき、冷却部８６はキャリッジ３２に内蔵されている。この場合、冷却部８６（冷却面８６ａ）は、複数のノズル面３１ａに対して＋Ｙ軸方向と−Ｙ軸方向との少なくとも一方に設けられていても良い。
【００６１】
（変形例２）実施形態１では、第１の冷却部８が、キャリッジ３２に対して連結部材ＣＮを用いて固定されているがこれに限定されない。図２０は本変形例に係る液体拭き取り機構の構成を＋Ｙ軸方向から見たものであり、図２１は本変形例に係る液体拭き取り機構の構成を−Ｚ軸方向から見たものである。なお、図２１においては、本変形例の液体拭き取り機構の構成を説明するために必要な構成以外は省略している。
図２０及び図２１に示すように、本変形例に係る液体拭き取り機構では、冷却部８７（冷却面８７ａ）はノズル面３１ａを矩形状に囲むように形成されている。このとき、冷却部８７はキャリッジ３２に内蔵されている。この場合、ノズル面３１ａを囲む形状は矩形でなくても良い。例えば、三角形状を含む多角形状、円や楕円等でも良い。また、ノズル面３１ａを全て囲む必要が無い場合は、ノズル面３１ａの周りの少なくとも一部の領域に冷却面８７ａを設ける構成としても良い。
【００６２】
（変形例３）実施形態１乃至実施形態７の液体拭き取り機構を備える記録装置として、インク以外の他の流体を噴射したり吐出したりする液体吐出装置を採用してもよい。例えば、微小量の液滴を吐出させるヘッド等を備える各種の記録装置に流用可能である。なお、液滴とは、上記記録装置から吐出される液体の状態をいい、粒状、涙状、糸状に尾を引くものも含むものとする。また、ここでいう液体とは、液体吐出装置が吐出（噴射）させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたもの等を含む。また、液体の代表的な例としては上記実施形態で説明したようなインクが挙げられる。ここで、インクとは一般的な水性インク及び油性インク並びにジェルインク、ホットメルトインク等の各種液体組成物を包含するものとする。また、メディアとしては、塩化ビニル系フィルム等のプラスチックフィルム以外に、薄く熱伸びする機能紙、布や織物といったテキスタイル、基板や金属板等を包含するものとする。
【符号の説明】
【００６３】
１…記録装置、２…搬送部、２３…搬送ローラー対、３１…記録ヘッド、３１ａ…ノズル面、３２…キャリッジ、３３…キャリッジガイド、５…支持部、５ａ…支持面、７２…ヒーター、８…冷却部（第１の冷却部）、８ａ…冷却面（第１の冷却面）、８１…第２の冷却部、８１ａ…第２の冷却面、８２ａ…第３の冷却面、８３，８４，８５，８６，８７…冷却部、９…ワイパー部材（第１のワイパー部材）、９ａ…ワイパー部材の端部（第１のワイパー部材の第１の端部）、９１…第２のワイパー部材、９１ａ…第２のワイパー部材の第２の端部、９２，９３，９４…ワイパー部材、９５…ブラシ（ワイパー部材）、１０…本体フレーム、１１…ベース部、１２…制御部、ＳＰ…走査経路、ＳＤ…走査方向、Ｍ…メディア、Ｍａ…表面、Ｍｂ…裏面、Ｔｈ…温度検出部、Ｈ１…冷却面８ａの支持面５ａからの距離、Ｈ２…ノズル面３１ａの支持面５ａからの距離、Ｈ３…端部９ａの支持面５ａからの距離、Ｈ４…第２の冷却面８１ａの支持面５ａからの距離、Ｈ５…第２の端部９１ａの支持面５ａからの距離。
【図１】
2019171585.tif 000003
【図２】
2019171585.tif 000004
【図３】
2019171585.tif 000005
【図４】
2019171585.tif 000006
【図５】
2019171585.tif 000007
【図６】
2019171585.tif 000008
【図７】
2019171585.tif 000009
【図８】
2019171585.tif 000010
【図９】
2019171585.tif 000011
【図１０】
2019171585.tif 000012
【図１１】
2019171585.tif 000013
【図１２】
2019171585.tif 000014
【図１３】
2019171585.tif 000015
【図１４】
2019171585.tif 000016
【図１５】
2019171585.tif 000017
【図１６】
2019171585.tif 000018
【図１７】
2019171585.tif 000019
【図１８】
2019171585.tif 000020
【図１９】
2019171585.tif 000021
【図２０】
2019171585.tif 000022
【図２１】
2019171585.tif 000023